(57)【要約】【課題】産業プラント制御システム等において、Ｉ／Ｏモジュールを容易に追加することを課題とする。【解決手段】実施形態のＩ／Ｏモジュール管理装置では、記憶部が、Ｉ／ＯモジュールのＩ／Ｏ種別毎に固有の情報を設定するためのＩ／Ｏ種別毎雛形データ、および、固有の情報を記憶するデータベースを記憶する。雛形データ取得部は、固有の情報が既存のＩ／Ｏモジュールと異なるＩ／Ｏモジュールがコントローラに対して追加される場合に、当該Ｉ／ＯモジュールのＩ／Ｏ種別に対応するＩ／Ｏ種別毎雛形データを記憶部から取得する。データベース登録部は、取得したＩ／Ｏ種別毎雛形データにおける項目に関して、ユーザによって指定された固有の情報をデータベースに登録する。ダウンロード処理部は、指定された固有の情報をコントローラにダウンロードする。【選択図】図１
2017162108.tif 000002
【特許請求の範囲】
【請求項１】
Ｉ／Ｏモジュールを制御するコントローラに接続され、前記Ｉ／Ｏモジュールを管理するＩ／Ｏモジュール管理装置であって、
前記Ｉ／ＯモジュールのＩ／Ｏ種別毎に固有の情報を設定するためのＩ／Ｏ種別毎雛形データ、および、前記固有の情報を記憶するデータベースを記憶する記憶部と、
前記固有の情報が既存の前記Ｉ／Ｏモジュールと異なる前記Ｉ／Ｏモジュールが前記コントローラに対して追加される場合に、当該Ｉ／ＯモジュールのＩ／Ｏ種別に対応する前記Ｉ／Ｏ種別毎雛形データを前記記憶部から取得する雛形データ取得部と、
前記取得したＩ／Ｏ種別毎雛形データにおける項目に関して、ユーザによって指定された固有の情報を前記データベースに登録するデータベース登録部と、
前記指定された固有の情報を前記コントローラにダウンロードするダウンロード処理部と、
を備えるＩ／Ｏモジュール管理装置。
【請求項２】
前記取得したＩ／Ｏ種別毎雛形データにおける項目として含まれている、前記Ｉ／Ｏモジュールの入出力ワード数、前記Ｉ／Ｏモジュールと前記コントローラとの間の入出力種別、前記Ｉ／Ｏモジュールのパラメータ、および、前記Ｉ／Ｏモジュールのアラーム情報の少なくともいずれかを画面表示する表示制御部をさらに備え、
前記データベース登録部は、前記画面表示に対してユーザにより入力された前記固有の情報を前記データベースに登録する、請求項１に記載のＩ／Ｏモジュール管理装置。
【請求項３】
前記取得したＩ／Ｏ種別毎雛形データにおける項目に対応して、前記Ｉ／Ｏモジュールの入出力ワード数、前記Ｉ／Ｏモジュールと前記コントローラとの間の入出力種別、前記Ｉ／Ｏモジュールのパラメータ、および、前記Ｉ／Ｏモジュールのアラーム情報の少なくともいずれかについて予めテキストデータで前記固有の情報が定義された定義ファイルを受け付けるインポート処理部をさらに備え、
前記データベース登録部は、前記受け付けた定義ファイルにおけるテキストデータを用いて、前記固有の情報を前記データベースに登録する、請求項１に記載のＩ／Ｏモジュール管理装置。
【請求項４】
前記取得したＩ／Ｏ種別毎雛形データにおける項目に対応して、前記Ｉ／Ｏモジュールの入出力ワード数、前記Ｉ／Ｏモジュールと前記コントローラとの間の入出力種別、前記Ｉ／Ｏモジュールのパラメータ、および、前記Ｉ／Ｏモジュールのアラーム情報の少なくともいずれかを前記Ｉ／Ｏモジュールから取得するＩ／Ｏモジュール情報取得部をさらに備え、
前記データベース登録部は、前記Ｉ／Ｏモジュール情報取得部が取得した情報を用いて、前記固有の情報を前記データベースに登録する、請求項１に記載のＩ／Ｏモジュール管理装置。
【請求項５】
前記取得したＩ／Ｏ種別毎雛形データにおける項目に対応して、前記Ｉ／Ｏモジュールの入出力ワード数、前記Ｉ／Ｏモジュールと前記コントローラとの間の入出力種別、前記Ｉ／Ｏモジュールのパラメータ、および、前記Ｉ／Ｏモジュールのアラーム情報の少なくともいずれかを前記Ｉ／Ｏモジュールから取得するＩ／Ｏモジュール情報取得部と、
前記取得したＩ／Ｏ種別毎雛形データにおける項目として含まれている情報を画面表示する表示制御部と、
前記画面表示に対してユーザにより入力された前記固有の情報と、前記Ｉ／Ｏモジュール情報取得部が取得した情報とを比較し、比較結果を画面表示する比較処理部と、をさらに備える、請求項１に記載のＩ／Ｏモジュール管理装置。
【請求項６】
Ｉ／Ｏモジュールを制御するコントローラに接続され、前記Ｉ／Ｏモジュールを管理するＩ／Ｏモジュール管理装置によるＩ／Ｏモジュール管理方法であって、
前記Ｉ／Ｏモジュール管理装置は、前記Ｉ／ＯモジュールのＩ／Ｏ種別毎に固有の情報を設定するためのＩ／Ｏ種別毎雛形データ、および、前記固有の情報を記憶するデータベースを記憶する記憶部を備えており、
前記固有の情報が既存の前記Ｉ／Ｏモジュールと異なる前記Ｉ／Ｏモジュールが前記コントローラに対して追加される場合に、当該Ｉ／ＯモジュールのＩ／Ｏ種別に対応する前記Ｉ／Ｏ種別毎雛形データを前記記憶部から取得する雛形データ取得ステップと、
前記取得したＩ／Ｏ種別毎雛形データにおける項目に関して、ユーザによって指定された固有の情報を前記データベースに登録するデータベース登録ステップと、
前記指定された固有の情報を前記コントローラにダウンロードするダウンロード処理ステップと、
を含むＩ／Ｏモジュール管理方法。
【発明の詳細な説明】
【技術分野】
【０００１】
本発明の実施形態は、Ｉ／Ｏモジュール管理装置、Ｉ／Ｏモジュール管理方法に関する。
【背景技術】
【０００２】
従来から、例えば、産業プラント制御システムでは、１つ以上のプログラマブルコントローラ（以下、単に「コントローラ」という。）と、コントローラに接続された１つ以上のＩ／Ｏ（Input／output）モジュールと、Ｉ／Ｏモジュールを管理するＩ／Ｏモジュール管理装置とが用いられる。Ｉ／Ｏモジュールとしては、例えば、制御対象設備に設置されたセンサ等からの信号の入力を行う入力装置や、制御対象設備のアクチュエータ等に対して信号の出力を行う出力装置がある。なお、産業プラント制御システムでは、データ伝送装置等の他の装置が使用される場合もあるが、以下では説明を省略する。
【０００３】
Ｉ／Ｏモジュールには、アナログ信号入力、アナログ信号出力、デジタル信号入力、デジタル信号出力といったＩ／Ｏ種別がある。そのＩ／Ｏ種別毎に、入出力ワード数等に関するＩ／Ｏモジュール毎の固有の情報がある。例えば、Ｉ／Ｏ種別がデジタル信号入力のＩ／Ｏモジュールの場合、入出力ワード数が４Ｗ（Word）、８Ｗ、１６Ｗの３種類ありえるとすると、Ｉ／Ｏモジュール毎にそのいずれかが固有の情報となる。
【先行技術文献】
【特許文献】
【０００４】
【特許文献１】特開２０１３−１４２９３３号公報
【発明の概要】
【発明が解決しようとする課題】
【０００５】
産業プラント制御システムにおいて、前記した固有の情報が既存のＩ／Ｏモジュールと異なるＩ／Ｏモジュールを追加する場合がある。従来技術では、そのようなＩ／Ｏモジュールの追加を反映するためにデータベース（プロファイラデータベース等）を変更できるのは、システム開発者だけであった。したがって、システム開発者の負担が大きく、また、システム開発者以外の者（以下、「ユーザ」という。）が対応できず不便である（その都度、システム開発者に依頼しなければならない）等の問題があり、改善が望まれていた。
【課題を解決するための手段】
【０００６】
実施形態のＩ／Ｏモジュール管理装置は、Ｉ／Ｏモジュールを制御するコントローラに接続され、前記Ｉ／Ｏモジュールを管理するＩ／Ｏモジュール管理装置であって、記憶部と、雛形データ取得部と、データベース登録部と、ダウンロード処理部と、を備える。記憶部は、前記Ｉ／ＯモジュールのＩ／Ｏ種別毎に固有の情報を設定するためのＩ／Ｏ種別毎雛形データ、および、前記固有の情報を記憶するデータベースを記憶する。雛形データ取得部は、前記固有の情報が既存の前記Ｉ／Ｏモジュールと異なる前記Ｉ／Ｏモジュールが前記コントローラに対して追加される場合に、当該Ｉ／ＯモジュールのＩ／Ｏ種別に対応する前記Ｉ／Ｏ種別毎雛形データを前記記憶部から取得する。データベース登録部は、前記取得したＩ／Ｏ種別毎雛形データにおける項目に関して、ユーザによって指定された固有の情報を前記データベースに登録する。ダウンロード処理部は、前記指定された固有の情報を前記コントローラにダウンロードする。
【０００７】
実施形態のＩ／Ｏモジュール管理方法は、Ｉ／Ｏモジュールを制御するコントローラに接続され、前記Ｉ／Ｏモジュールを管理するＩ／Ｏモジュール管理装置によるＩ／Ｏモジュール管理方法であって、雛形データ取得ステップと、データベース登録ステップと、ダウンロード処理ステップとを含んでいる。前記Ｉ／Ｏモジュール管理装置は、前記Ｉ／ＯモジュールのＩ／Ｏ種別毎に固有の情報を設定するためのＩ／Ｏ種別毎雛形データ、および、前記固有の情報を記憶するデータベースを記憶する記憶部を備えている。雛形データ取得ステップは、前記固有の情報が既存の前記Ｉ／Ｏモジュールと異なる前記Ｉ／Ｏモジュールが前記コントローラに対して追加される場合に、当該Ｉ／ＯモジュールのＩ／Ｏ種別に対応する前記Ｉ／Ｏ種別毎雛形データを前記記憶部から取得する。データベース登録ステップは、前記取得したＩ／Ｏ種別毎雛形データにおける項目に関して、ユーザによって指定された固有の情報を前記データベースに登録する。ダウンロード処理ステップは前記指定された固有の情報を前記コントローラにダウンロードする。
【図面の簡単な説明】
【０００８】
【図１】図１は、第１の実施形態にかかるＩ／Ｏモジュール管理装置の構成等を示すブロック図である。
【図２】図２は、第１の実施形態にかかるＩ／Ｏモジュール管理装置の動作を示すフローチャートである。
【図３】図３は、第１の実施形態にかかるＩ／Ｏモジュール管理装置に表示されるＩ／Ｏモジュール追加画面例を示す図である。
【図４】図４は、第２の実施形態にかかるＩ／Ｏモジュール管理装置の構成等を示すブロック図である。
【図５】図５は、第２の実施形態にかかるＩ／Ｏモジュール管理装置の動作を示すフローチャートである。
【図６】図６は、第２の実施形態にかかるＩ／Ｏモジュール管理装置に表示されるＩ／Ｏモジュール追加画面例を示す図である。
【図７】図７は、第３の実施形態にかかるＩ／Ｏモジュール管理装置の構成等を示すブロック図である。
【図８】図８は、第３の実施形態にかかるＩ／Ｏモジュール管理装置の動作を示すフローチャートである。
【図９】図９は、第３の実施形態にかかるＩ／Ｏモジュール管理装置に表示されるＩ／Ｏモジュール追加画面例を示す図である。
【図１０】図１０は、第４の実施形態にかかるＩ／Ｏモジュール管理装置の構成等を示すブロック図である。
【図１１】図１１は、第４の実施形態にかかるＩ／Ｏモジュール管理装置の動作を示すフローチャートである。
【図１２】図１２（ａ）は、第４の実施形態にかかるＩ／Ｏモジュール管理装置に表示されるＩ／Ｏモジュール追加画面例を示す図である。図１２（ｂ）は、図１２（ａ）の例で２つの情報の比較を行った結果を示す図である。
【発明を実施するための形態】
【０００９】
以下、添付の図面を用いて、本実施形態にかかるＩ／Ｏモジュール管理装置、Ｉ／Ｏモジュール管理方法について説明する。
【００１０】
（第１の実施形態）
図１は、第１の実施形態にかかるＩ／Ｏモジュール管理装置の構成等を示すブロック図である。Ｉ／Ｏモジュール管理装置１は、例えば、産業プラント制御システムにおいてＩ／Ｏモジュール３（３Ａ、３Ｂ）の管理等を行うコンピュータ装置である。Ｉ／Ｏモジュール管理装置１は、Ｉ／Ｏモジュール３を制御するコントローラ２（例えばプログラマブルコントローラ）に接続される。
【００１１】
Ｉ／Ｏモジュール３は、例えば、制御対象設備に設置されたセンサ等から信号の入力を行う入力装置や、制御対象設備のアクチュエータ等に対して信号の出力を行う出力装置である。Ｉ／Ｏモジュール３には、Ｉ／Ｏ種別がある。Ｉ／Ｏ種別としては、例えば、アナログ信号入力、アナログ信号出力、デジタル信号入力、デジタル信号出力がある。そのＩ／Ｏ種別毎に、Ｉ／Ｏモジュール３毎の固有の情報がある。
【００１２】
固有の情報としては、例えば、入出力ワード数、Ｉ／Ｏポイント入出力種別、モジュールパラメータ、アラーム情報がある。入出力ワード数は、Ｉ／Ｏモジュール３が入出力するワードの数である。例えば、Ｉ／Ｏ種別がデジタル信号入力のＩ／Ｏモジュール３の場合、入出力ワード数が４Ｗ（Word）、８Ｗ、１６Ｗの３種類ありえるとすると、Ｉ／Ｏモジュール３毎にそのいずれかが固有の情報となる。
【００１３】
Ｉ／Ｏポイント入出力種別は、Ｉ／Ｏモジュール３とコントローラ２との間の入出力種別である。Ｉ／Ｏポイント入出力種別は、例えば、一括、直結の２種類あり、Ｉ／Ｏモジュール３毎にそのいずれかが固有の情報となる。
【００１４】
モジュールパラメータは、Ｉ／Ｏモジュール３のパラメータである。Ｉ／Ｏモジュール３毎のモジュールパラメータの各値が固有の情報となる。
【００１５】
アラーム情報は、Ｉ／Ｏモジュール３に異常が発生した時のアラーム情報である。アラーム情報は、例えば、重故障、軽故障の２種類あり、Ｉ／Ｏモジュール３毎にそのいずれかが固有の情報となる。
【００１６】
Ｉ／Ｏモジュール管理装置１は、表示部１１、入力部１２、処理部１３、記憶部１４、および、システムデータベース１５を備える。これらのうち、処理部１３と記憶部１４はエンジニアリングツール１Ａとして図示している。エンジニアリングツール１Ａとは、産業プラント制御システムに関するシステム構築、プログラミング、モニタリング、情報収集、監視等をサポートするために開発されるソフトウェアであり、システム開発者によって扱われる。
【００１７】
表示部１１は、ＬＣＤ（Liquid  Crystal  Display）等の表示手段である。入力部１２は、キーボード、マウス等の情報入力手段である。
【００１８】
記憶部１４は、ＲＡＭ（Random  Access  Memory）、ＲＯＭ（Read  Only  Memory）、ＨＤＤ（Hard  Disk  Drive）、ＳＳＤ（Solid  State  Drive）等の情報記憶手段である。記憶部１４は、Ｉ／Ｏ種別毎雛形データ１４１とプロファイラデータベース１４２とを記憶する。
【００１９】
Ｉ／Ｏ種別毎雛形データ１４１は、Ｉ／Ｏモジュール３のＩ／Ｏ種別毎に固有の情報を設定するための雛形データである。Ｉ／Ｏ種別毎雛形データ１４１は、例えば、Ｉ／Ｏ種別がデジタル信号入力のＩ／Ｏモジュール３に対して、次の５つの項目が設けられている。
【００２０】
（項目１）入出力ワード数（４Ｗ、８Ｗ、１６Ｗの３択）
（項目２）Ｉ／Ｏポイント入出力種別（一括、直結の２択）
（項目３）モジュールパラメータ
（項目４）アラーム情報（重故障、軽故障の２択）
（項目５）その他
【００２１】
プロファイラデータベース１４２は、機種情報集合と、Ｉ／Ｏ変数集合と、コネクション情報集合と、モジュールパラメータ集合と、アラーム情報集合と、を記憶する。機種情報集合は、Ｉ／Ｏモジュール３毎のＩ／Ｏ種別を含む機種情報の集合である。Ｉ／Ｏ変数集合は、Ｉ／Ｏモジュール３毎の入出力ワード数（項目１）を含むＩ／Ｏ変数の集合である。コネクション情報集合は、Ｉ／Ｏモジュール３毎のＩ／Ｏポイント入出力種別（項目２）を含むコネクション情報の集合である。モジュールパラメータ集合は、Ｉ／Ｏモジュール３毎のモジュールパラメータ（項目３）の集合である。アラーム情報は、Ｉ／Ｏモジュール３毎のアラーム情報（項目４）の集合である。なお、（項目５）に対応する情報集合の図示は省略している。また、Ｉ／Ｏ種別がデジタル信号入力以外のＩ／Ｏモジュール３に対しても、同様の項目が設けられている。
【００２２】
システムデータベース１５は、産業プラント制御システムに関するデータベースであり、主にユーザ（システム開発者以外の者）によって扱われる。なお、図１では、システムデータベース１５を記憶部１４の外部に表記しているが、対応するハードウェアは記憶部１４と同じであってよい。
【００２３】
処理部１３は、ＣＰＵ（Central  Processing  Unit）等の情報処理手段である。処理部１３は、表示制御部１３１、雛形データ取得部１３２、プロファイラデータベース登録部１３３、ハードウェア構成登録部１３４、システムデータベース登録部１３５、および、ダウンロード処理部１３６を備える。
【００２４】
表示制御部１３１は、表示部１１に対する表示制御を実行する。表示制御部１３１は、例えば、雛形データ取得部１３２がＩ／Ｏ種別毎雛形データ１４１から取得したＩ／Ｏ種別毎雛形データにおける項目として含まれている、入出力ワード数、Ｉ／Ｏポイント入出力種別、モジュールパラメータ、および、アラーム情報の少なくともいずれかを表示部１１に表示する（図３参照）。
【００２５】
雛形データ取得部１３２は、固有の情報が既存のＩ／Ｏモジュール３と異なるＩ／Ｏモジュール３がコントローラ２に対して追加される場合に、追加されるＩ／Ｏモジュール３のＩ／Ｏ種別に対応するＩ／Ｏ種別毎雛形データを記憶部１４のＩ／Ｏ種別毎雛形データ１４１から取得する。
【００２６】
プロファイラデータベース登録部１３３は、雛形データ取得部１３２が取得したＩ／Ｏ種別毎雛形データにおける項目に関して、ユーザによって指定された固有の情報をプロファイラデータベース１４２に登録する。
【００２７】
ハードウェア構成登録部１３４は、プロファイラデータベース登録部１３３によるプロファイラデータベース１４２への固有の情報の登録に対応して、ハードウェア構成を記憶部１４に登録する（図１の記憶部１４での図示省略）。
【００２８】
システムデータベース登録部１３５は、プロファイラデータベース登録部１３３によるプロファイラデータベース１４２への固有の情報の登録に対応して、システムデータベース１５の各種テーブルに、コントローラ２にダウンロードするための情報を格納する。
【００２９】
ダウンロード処理部１３６は、システムデータベース１５に格納された固有の情報を含む情報をコントローラ２にダウンロードする。
【００３０】
次に、図２、図３を参照して、第１の実施形態にかかるＩ／Ｏモジュール管理装置１の動作（Ｉ／Ｏモジュール管理方法）について説明する。図２は、第１の実施形態にかかるＩ／Ｏモジュール管理装置１の動作を示すフローチャートである。図３は、第１の実施形態にかかるＩ／Ｏモジュール管理装置１に表示されるＩ／Ｏモジュール追加画面例を示す図である。ここでは、ユーザがＩ／Ｏモジュール管理装置１を用いて固有の情報が既存のＩ／Ｏモジュール３と異なるＩ／Ｏモジュール３をコントローラ２に追加する場合を例にとって説明する。
【００３１】
まず、ユーザがＩ／Ｏモジュール管理装置１の入力部１２を用いてＩ／Ｏモジュール３の追加のための所定の操作を行うと、表示制御部１３１は、表示部１１にＩ／Ｏモジュール追加画面（図３）を表示する（ステップＳ１）。
【００３２】
次に、雛形データ取得部１３２は、図３に示す画面でのユーザによるＩ／Ｏ種別の選択（領域１１１）を受け付けると（ステップＳ２）、記憶部１４のＩ／Ｏ種別毎雛形データ１４１からそのＩ／Ｏ種別のＩ／Ｏ種別毎雛形データを取得する（雛形データ取得ステップ、ステップＳ３）。また、ユーザは、図３に示す画面でＩ／Ｏ種別を選択する（領域１１１）とともに、機種名も入力する（領域１１２）。
【００３３】
ステップＳ３を受けて、表示制御部１３１は、取得したＩ／Ｏ種別毎雛形データに基づいて、項目１〜５の情報を図３の領域１１３に表示する。次に、プロファイラデータベース登録部１３３は、図３の領域１１３でのユーザによる項目１〜５に関する固有の情報の入力とＯＫボタン１１４の操作を受け付けると（ステップＳ４）、その入力された固有の情報を記憶部１４のプロファイラデータベース１４２に登録する（データベース登録ステップ、ステップＳ５）。具体的には、プロファイラデータベース登録部１３３は、入出力ワード数をＩ／Ｏ変数集合に、Ｉ／Ｏポイント入出力種別をコネクション情報集合に、モジュールパラメータをモジュールパラメータ集合に、アラーム情報をアラーム情報集合に、それぞれ登録する。また、プロファイラデータベース登録部１３３は、併せて、領域１１１、１１２に入力された情報をプロファイラデータベース１４２の機種情報集合に登録する。なお、ユーザは、Ｉ／Ｏモジュール３の追加を中止する場合は、キャンセルボタン１１５を操作すればよい。
【００３４】
次に、ハードウェア構成登録部１３４は、ステップＳ５に対応して、ハードウェア構成を記憶部１４に登録する（ステップＳ６）。
【００３５】
次に、システムデータベース登録部１３５は、ステップＳ５に対応して、システムデータベース１５の各種テーブルに、コントローラ２にダウンロードするための固有の情報を含む情報を格納する（ステップＳ７）。
【００３６】
次に、ダウンロード処理部１３６は、システムデータベース１５に格納された固有の情報を含む情報をコントローラ２にダウンロードする（ダウンロード処理ステップ、ステップＳ８）。
【００３７】
このように、第１の実施形態にかかるＩ／Ｏモジュール管理装置１によれば、システム開発者以外の者（ユーザ）であっても、固有の情報が既存のＩ／Ｏモジュール３と異なるＩ／Ｏモジュール３を容易に追加することができる。具体的には、ユーザが画面上での操作を行うだけで、Ｉ／Ｏモジュール３の追加にともなうプロファイラデータベース１４２への登録、システムデータベース１５への登録、コントローラ２へのダウンロードを自動的に行うことができる。また、システム開発者がエンジニアリングツール１Ａを改造する必要がないので、システム開発者による作業ミス（設定ミス、データベース変更漏れ、既存データ誤変更等）を回避してシステムの品質を向上させることができるとともに、トータルでの手間やコストを大幅に減らすことができる。
【００３８】
（第２の実施形態）
次に、図４〜図６を参照して、第２の実施形態にかかるＩ／Ｏモジュール管理装置１およびその管理方法について説明する。第１の実施形態と同様の点については説明を省略する。図４は、第２の実施形態にかかるＩ／Ｏモジュール管理装置１の構成等を示すブロック図である。図４のＩ／Ｏモジュール管理装置１は、図１のＩ／Ｏモジュール管理装置１と比較して、処理部１３にインポート処理部１３７が追加されている点と、定義ファイルを用いる点で異なっている。
【００３９】
インポート処理部１３７は、雛形データ取得部１３２が取得したＩ／Ｏ種別毎雛形データにおける項目に対応して、入出力ワード数、Ｉ／Ｏポイント入出力種別、モジュールパラメータ、および、アラーム情報の少なくともいずれかについて予めテキストデータで固有の情報が定義された定義ファイルを受け付ける（インポートする）。そして、プロファイラデータベース登録部１３３は、インポート処理部１３７が受け付けた定義ファイルにおけるテキストデータを用いて、固有の情報をプロファイラデータベース１４２に登録する。
【００４０】
なお、定義ファイルは、Ｉ／Ｏモジュール管理装置１で作成してもよいし、Ｉ／Ｏモジュール管理装置１以外の装置で作成したものをＩ／Ｏモジュール管理装置１が受け取って使用してもよい。
【００４１】
次に、図５、図６を参照して、第２の実施形態にかかるＩ／Ｏモジュール管理装置１の動作（Ｉ／Ｏモジュール管理方法）について説明する。図５は、第２の実施形態にかかるＩ／Ｏモジュール管理装置１の動作を示すフローチャートである。図６は、第２の実施形態にかかるＩ／Ｏモジュール管理装置１に表示されるＩ／Ｏモジュール追加画面例を示す図である。
【００４２】
ステップＳ１〜Ｓ３は、図２と同様である。ステップＳ３を受けて、表示制御部１３１は、取得したＩ／Ｏ種別毎雛形データに基づいて、項目１〜５の情報を図６の領域１１３に表示する。次に、インポート処理部１３７は、図６の領域１１６でのユーザによる定義ファイルのインポートの操作を受け付けると、定義ファイルのインポートを実行する（ステップＳ４１）。なお、ステップＳ４１の前の時点で、定義ファイルはＩ／Ｏモジュール管理装置１の情報記憶手段に格納されているものとする。
【００４３】
ステップＳ４１を受けて、表示制御部１３１は、インポートデータを図６の領域１１３に表示する（ステップＳ４２）。その後、プロファイラデータベース登録部１３３は、ユーザによる図６のＯＫボタン１１４の操作を受け付けると、インポートデータにおける固有の情報を記憶部１４のプロファイラデータベース１４２に登録する（データベース登録ステップ、ステップＳ５１）。ステップＳ６〜Ｓ８は、図２と同様である。
【００４４】
このように、第２の実施形態のＩ／Ｏモジュール管理装置１によれば、第１の実施形態の場合の効果に加えて、テキストデータの定義ファイルを用いることで、次の効果を奏する。ユーザが定義ファイルを作成して使用できるほか、例えば、システム開発者等が定義ファイルを作成してユーザに渡す等、柔軟な運用ができる。また、さらに次にＩ／Ｏモジュール３を追加するときに、その定義ファイルを流用でき、便利である。
【００４５】
（第３の実施形態）
次に、図７〜図９を参照して、第３の実施形態にかかるＩ／Ｏモジュール管理装置１およびその管理方法について説明する。第１の実施形態と同様の点については説明を省略する。図７は、第３の実施形態にかかるＩ／Ｏモジュール管理装置１の構成等を示すブロック図である。図７のＩ／Ｏモジュール管理装置１は、図１のＩ／Ｏモジュール管理装置１と比較して、処理部１３にＩ／Ｏモジュール情報取得部１３８が追加されている点と、Ｉ／Ｏモジュール３ＢにＩ／Ｏモジュール情報記憶部３１が設けられている点で異なっている。なお、第３の実施形態では、Ｉ／Ｏモジュール３Ａ、３Ｂのうち、Ｉ／Ｏモジュール３Ａが既存のＩ／Ｏモジュールで、Ｉ／Ｏモジュール３Ｂが追加されるＩ／Ｏモジュールであるものとする。
【００４６】
Ｉ／Ｏモジュール３ＢのＩ／Ｏモジュール情報記憶部３１には、このＩ／Ｏモジュール３Ｂに対応する入出力ワード数、Ｉ／Ｏポイント入出力種別、モジュールパラメータ、および、アラーム情報（以下、この４つを「Ｉ／Ｏモジュール情報」という。）が予め記憶されている。
【００４７】
Ｉ／Ｏモジュール情報取得部１３８は、雛形データ取得部１３２が取得したＩ／Ｏ種別毎雛形データにおける項目に対応して、入出力ワード数、Ｉ／Ｏポイント入出力種別、モジュールパラメータ、および、アラーム情報の少なくともいずれかをＩ／Ｏモジュール３Ｂから取得する。そして、プロファイラデータベース登録部１３３は、Ｉ／Ｏモジュール情報取得部１３８が取得した情報を用いて、固有の情報をプロファイラデータベース１４２に登録する。
【００４８】
次に、図８、図９を参照して、第３の実施形態にかかるＩ／Ｏモジュール管理装置１の動作（Ｉ／Ｏモジュール管理方法）について説明する。図８は、第３の実施形態にかかるＩ／Ｏモジュール管理装置１の動作を示すフローチャートである。図９は、第３の実施形態にかかるＩ／Ｏモジュール管理装置１に表示されるＩ／Ｏモジュール追加画面例を示す図である。
【００４９】
ステップＳ１〜Ｓ３は、図２と同様である。ステップＳ３を受けて、表示制御部１３１は、取得したＩ／Ｏ種別毎雛形データに基づいて、項目１〜５の情報を図９の領域１１３に表示する。次に、Ｉ／Ｏモジュール情報取得部１３８は、図９の領域１１６でのユーザによるＩ／Ｏモジュール情報読出（取得）の操作を受け付けると、Ｉ／Ｏモジュール３ＢのＩ／Ｏモジュール情報記憶部３１からＩ／Ｏモジュール情報を取得する（ステップＳ４３）。
【００５０】
ステップＳ４３を受けて、表示制御部１３１は、取得したＩ／Ｏモジュール情報を図９の画面の領域１１３に表示する（ステップＳ４４）。その後、プロファイラデータベース登録部１３３は、ユーザによる図９のＯＫボタン１１４の操作を受け付けると、Ｉ／Ｏモジュール情報における固有の情報を記憶部１４のプロファイラデータベース１４２に登録する（データベース登録ステップ、ステップＳ５２）。ステップＳ６〜Ｓ８は、図２と同様である。
【００５１】
このように、第３の実施形態のＩ／Ｏモジュール管理装置１によれば、第１の実施形態の場合の効果に加えて、次の効果を奏する。Ｉ／Ｏモジュール管理装置１が実際に追加するＩ／Ｏモジュール３ＢからＩ／Ｏモジュール情報記憶部３１に記憶されているＩ／Ｏモジュール情報を受け取ることで、設定ミスの可能性をより低減できる。
【００５２】
（第４の実施形態）
次に、図１０〜図１２を参照して、第４の実施形態にかかるＩ／Ｏモジュール管理装置１およびその管理方法について説明する。第３の実施形態と同様の点については説明を省略する。図１０は、第４の実施形態にかかるＩ／Ｏモジュール管理装置１の構成等を示すブロック図である。図１０のＩ／Ｏモジュール管理装置１は、図７のＩ／Ｏモジュール管理装置１と比較して、処理部１３に比較処理部１３９が追加されている点で異なっている。
【００５３】
表示制御部１３１は、雛形データ取得部１３２が取得したＩ／Ｏ種別毎雛形データにおける項目として含まれている情報を画面表示する。そして、比較処理部１３９は、画面表示に対してユーザにより入力された固有の情報と、Ｉ／Ｏモジュール情報取得部１３８が取得した情報とを比較し、比較結果を画面表示する。
【００５４】
次に、図１１、図１２を参照して、第４の実施形態にかかるＩ／Ｏモジュール管理装置１の動作について説明する。図１１は、第４の実施形態にかかるＩ／Ｏモジュール管理装置１の動作（Ｉ／Ｏモジュール管理方法）を示すフローチャートである。図１２（ａ）は、第４の実施形態にかかるＩ／Ｏモジュール管理装置１に表示されるＩ／Ｏモジュール追加画面例を示す図である。図１２（ｂ）は、図１２（ａ）の例で２つの情報の比較を行った結果を示す図である。
【００５５】
ステップＳ１〜Ｓ４は、図２と同様である。ステップＳ４３は、図８と同様である。ステップＳ４３の後、比較処理部１３９は、ステップＳ４でユーザにより入力された固有の情報と、ステップＳ４３で取得したＩ／Ｏモジュール情報とを比較し（ステップＳ４５）、比較結果を画面表示する（図１２（ｂ））。
【００５６】
ステップＳ４５の後、比較結果による修正が実行される（ステップＳ４６）。この修正は、例えば、図１２（ｂ）の比較結果を見たユーザによる修正の操作を処理部１３が受け付けることにより実現すればよい。
【００５７】
ステップＳ４６の後、プロファイラデータベース登録部１３３は、ユーザによる図１２（ａ）のＯＫボタン１１４の操作を受け付けると、固有の情報を記憶部１４のプロファイラデータベース１４２に登録する（データベース登録ステップ、ステップＳ５３）。ステップＳ６〜Ｓ８は、図２と同様である。
【００５８】
このように、第４の実施形態のＩ／Ｏモジュール管理装置１によれば、第３の実施形態の場合の効果に加えて、次の効果を奏する。Ｉ／Ｏモジュール管理装置１が、実際に追加するＩ／Ｏモジュール３Ｂから受け取ったＩ／Ｏモジュール情報と、ユーザによる入力情報を比較することで、設定ミスの可能性をより低減できる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６０】
また、本実施形態のＩ／Ｏモジュール管理装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータ装置で読み取り可能な記録媒体に記録して提供することができる。また、本実施形態のＩ／Ｏモジュール管理装置１で実行されるプログラムを、インターネット等のネットワーク経由で提供または配布するようにしてもよい。
【符号の説明】
【００６１】
１…Ｉ／Ｏモジュール管理装置、
１Ａ…エンジニアリングツール、
２…コントローラ、
３（３Ａ、３Ｂ）…Ｉ／Ｏモジュール、
１４…記憶部、１５…システムデータベース、
３１…Ｉ／Ｏモジュール情報記憶部、
１１４…ＯＫボタン、
１１５…キャンセルボタン、
１３３…プロファイラデータベース登録部、
１３４…ハードウェア構成登録部、
１３５…システムデータベース登録部、
１３６…ダウンロード処理部、
１３７…インポート処理部、
１３８…Ｉ／Ｏモジュール情報取得部、
１４１…Ｉ／Ｏ種別毎雛形データ、
１４２…プロファイラデータベース
【図１】
2017162108.tif 000003
【図２】
2017162108.tif 000004
【図３】
2017162108.tif 000005
【図４】
2017162108.tif 000006
【図５】
2017162108.tif 000007
【図６】
2017162108.tif 000008
【図７】
2017162108.tif 000009
【図８】
2017162108.tif 000010
【図９】
2017162108.tif 000011
【図１０】
2017162108.tif 000012
【図１１】
2017162108.tif 000013
【図１２】
2017162108.tif 000014